(57)【要約】【課題】フィッシングを防止することが可能で、かつ、フィッシングが発生しない状況においては、カードを傷つけないようにすることが可能なカードリーダを提供する。【解決手段】カード２の取込および排出を行うカード搬送機構を備えるカードリーダ１は、カード２が挿入および排出される挿入排出口５が形成されるゲート機構６を備えている。ゲート機構６には、カード２の排出方向に向かって突出する突出部１１ｂが形成されている。また、ゲート機構６は、カードリーダ１のユーザがカード２を抜き取ることが可能な抜取り可能位置までカード搬送機構によってカード２が排出されたことを検出するためのカード検出機構１４と、カード２の排出時に抜取り可能位置までカード２が排出されていない場合にカード２の抜取りを阻止するカード抜取り阻止機構１５とを備えている。カード検出機構１４は、突出部１１ｂの内部に配置されている。【選択図】図２
2011164808.tif 000002
【特許請求の範囲】
【請求項１】
カードの取込および排出を行うカード搬送機構を備えるカードリーダにおいて、
前記カードが挿入および排出される挿入排出口が形成されるとともに前記カードリーダの前記カードの排出方向端に配置されるゲート機構を備え、
前記ゲート機構には、前記カードの排出方向に向かって突出する突出部が形成され、
前記ゲート機構は、前記カードリーダのユーザが前記カードを抜き取ることが可能な抜取り可能位置まで前記カード搬送機構によって前記カードが排出されたことを検出するためのカード検出機構と、前記カードの排出時に前記抜取り可能位置まで前記カードが排出されていない場合に前記カードの抜取りを阻止するカード抜取り阻止機構とを備え、
前記カード検出機構は、前記突出部の内部に配置されていることを特徴とするカードリーダ。
【請求項２】
前記ゲート機構には、２個の前記突出部が形成され、
前記カード検出機構は、２個の前記突出部の間に形成される凹部において前記カードを抜き取ることが可能な前記抜取り可能位置まで前記カードが排出されたことを検出することを特徴とする請求項１記載のカードリーダ。
【請求項３】
前記カード抜取り阻止機構は、前記カード検出機構よりも前記カードの排出方向側に配置され前記挿入排出口を開閉するシャッタ部材と前記シャッタ部材を駆動するシャッタ駆動源とを備えるシャッタ機構であることを特徴とする請求項１または２記載のカードリーダ。
【請求項４】
前記シャッタ機構は、前記突出部の内部に配置されていることを特徴とする請求項３記載のカードリーダ。
【請求項５】
前記シャッタ部材は、前記挿入排出口を閉鎖するための閉鎖部を備え、
前記ゲート機構は、前記閉鎖部が前記挿入排出口を閉鎖していることを検出するためのシャッタ検出機構を備え、
前記シャッタ検出機構は、前記閉鎖部の一部を直接、検出することを特徴とする請求項３または４記載のカードリーダ。
【請求項６】
前記シャッタ駆動源は、前記カードリーダに前記カードが取り込まれていないときに、前記シャッタ部材を定期的に駆動して前記挿入排出口の開閉動作を行うことを特徴とする請求項５記載のカードリーダ。
【請求項７】
前記カードが搬送されるカード搬送路が内部に形成されるとともに、前記ゲート機構よりも前記カードの挿入方向側に配置される第２シャッタ部材を備え、
前記第２シャッタ部材は、前記カードの搬送方向から見たときに、前記カード搬送路の全域を閉鎖可能であることを特徴とする請求項４記載のカードリーダ。
【請求項８】
前記突出部は、不透明な材料で形成されていることを特徴とする請求項１から７のいずれかに記載のカードリーダ。
【請求項９】
前記ゲート機構の外形は、前記カードの排出方向に向かって膨らむ略半円柱形状に形成されていることを特徴とする請求項２記載のカードリーダ。
【請求項１０】
前記ゲート機構は、前記凹部の側面を光らせるための発光機構を備えることを特徴とする請求項２記載のカードリーダ。
【発明の詳細な説明】
【技術分野】
【０００１】
本発明は、カードの取込および排出を行うカード搬送機構を備えるカードリーダに関する。
【背景技術】
【０００２】
従来、カードを内部に取り込んで磁気データの読取や記録等の所定の処理を行うカードリーダが広く利用されている。この種のカードリーダでは、たとえば、内部に配置されたカードの搬送機構によって、カードの全体をカードリーダの内部に取り込んで所定の処理を行っている。また、カードリーダが利用される業界においては、従来、犯罪者がカードリーダ内部からのカードの排出を妨害する何らかの仕掛けをして、カードリーダ内部でカードを詰まらせた後にこの詰まったカードを不正に取得するいわゆるフィッシングが大きな問題となっている。
【０００３】
そこで、このフィッシングを防止するための構成を備えるカードリーダが提案されている（たとえば、特許文献１参照）。特許文献１に記載のカードリーダは、犯罪者がフィッシングを行うための仕掛けを取り外してカードリーダ内部に詰まったカードを引き抜こうとしたときに、カードの引抜きを防止する引抜き防止ロック機構を備えている。このカードリーダでは、排出時のカードが異常停止したことをセンサ等の監視手段が検出すると、引抜き防止ロック機構が作動可能な状態になり、この状態で犯罪者がカードを引き抜こうとすると、引抜き防止ロック機構が作動してロック歯がカードに食い込む。ロック歯がカードに食い込むと、カードが所定の滞留位置にロックされるため、犯罪者によるカードの引抜きが防止され、フィッシングが防止される。
【先行技術文献】
【特許文献】
【０００４】
【特許文献１】特開２００６−１５５５６７号公報
【発明の概要】
【発明が解決しようとする課題】
【０００５】
上述のように、特許文献１に記載のカードリーダでは、フィッシングを防止することが可能である。一方で、フィッシングを防止するためには、ユーザがカードリーダからカードを引抜くことができない場合にカードをロックして、犯罪者によるカードの引抜きを防止すれば良い。
【０００６】
しかしながら、特許文献１に記載のカードリーダでは、排出時のカードが異常停止したことを監視手段が検出すると、引抜き防止ロック機構が作動可能な状態となる。そのため、ユーザがカードリーダからカードを引抜くことができる場合であっても、引抜き防止ロック機構が作動可能な状態になるおそれがあり、この状態で、ユーザがカードを引抜くと、引抜き防止ロック機構が作動してロック歯がカードに食い込んでしまう。すなわち、このカードリーダでは、ユーザがカードリーダからカードを引抜くことが可能であり、フィッシングが発生しない状況であっても、ユーザのカード操作によって、カードを傷つけてしまうおそれがある。
【０００７】
そこで、本発明の課題は、フィッシングを防止することが可能で、かつ、フィッシングが発生しない状況においては、カードを傷つけないようにすることが可能なカードリーダを提供することにある。
【課題を解決するための手段】
【０００８】
上記の課題を解決するため、本発明のカードリーダは、カードの取込および排出を行うカード搬送機構を備えるカードリーダにおいて、カードが挿入および排出される挿入排出口が形成されるとともにカードリーダのカードの排出方向端に配置されるゲート機構を備え、ゲート機構には、カードの排出方向に向かって突出する突出部が形成され、ゲート機構は、カードリーダのユーザがカードを抜き取ることが可能な抜取り可能位置までカード搬送機構によってカードが排出されたことを検出するためのカード検出機構と、カードの排出時に抜取り可能位置までカードが排出されていない場合にカードの抜取りを阻止するカード抜取り阻止機構とを備え、カード検出機構は、突出部の内部に配置されていることを特徴とする。
【０００９】
本発明のカードリーダでは、ゲート機構は、カードリーダのユーザがカードを抜き取ることが可能な抜取り可能位置までカード搬送機構によってカードが排出されたことを検出するためのカード検出機構と、カードの排出時に抜取り可能位置までカードが排出されていない場合にカードの抜取りを阻止するカード抜取り阻止機構とを備えている。そのため、本発明では、フィッシングを行うための仕掛けがカードリーダに取り付けられて、抜取り可能位置までカードが排出されず、ユーザがカードを抜き取ることができない場合には、カード抜取り阻止機構によってカードの抜取りを阻止して、フィッシングを防止することが可能になる。一方、フィッシングを行うための仕掛けがカードリーダに取り付けられても、抜取り可能位置までカードが排出されており、ユーザがカードを抜き取ることができる場合には、カード抜取り阻止機構はカードの抜取りを阻止しない。すなわち、フィッシングを行うための仕掛けがカードリーダに取り付けられても、フィッシングが発生しない状況においては、カード抜取り阻止機構はカードの抜取りを阻止しない。したがって、本発明では、フィッシングが発生しない状況においては、カードを傷つけないようにすることが可能になる。
【００１０】
また、本発明では、カード検出機構は、カードの排出方向に向かって突出する突出部の内部に配置されている。そのため、カード検出機構によって、カードの排出方向端の位置を適切に検出することが可能になる。すなわち、カード検出機構によって、カードが抜取り可能位置まで排出されているか否かを適切に検出することが可能になる。したがって、本発明では、フィッシングが発生しうる状況にあるか否かをカード検出機構によって適切に検出することが可能になる。その結果、本発明では、フィッシングをより適切に防止することが可能になるとともに、フィッシングが発生しない状況においては、より適切にカードを傷つけないようにすることが可能になる。
【００１１】
本発明において、たとえば、ゲート機構には、２個の突出部が形成され、カード検出機構は、２個の突出部の間に形成される凹部においてカードを抜き取ることが可能な抜取り可能位置までカードが排出されたことを検出する。
【００１２】
本発明において、カード抜取り阻止機構は、カード検出機構よりもカードの排出方向側に配置され挿入排出口を開閉するシャッタ部材とシャッタ部材を駆動するシャッタ駆動源とを備えるシャッタ機構であることが好ましい。このように構成すると、シャッタ部材がカードの排出方向端に当接することで、カードの引抜きが阻止される。したがって、カード抜取り阻止機構によってカードの抜取りが阻止されても、カードの表面が傷つくのを防止することが可能になる。
【００１３】
本発明において、シャッタ機構は、突出部の内部に配置されていることが好ましい。このように構成すると、犯罪者がシャッタ機構を破壊するのを防止しやすくなる。
【００１４】
本発明において、シャッタ部材は、挿入排出口を閉鎖するための閉鎖部を備え、ゲート機構は、閉鎖部が挿入排出口を閉鎖していることを検出するためのシャッタ検出機構を備え、シャッタ検出機構は、閉鎖部の一部を直接、検出することが好ましい。このように構成すると、犯罪者によって挿入排出口を閉鎖するための閉鎖部が破壊されたか否かをシャッタ検出機構で確実に検出することが可能になる。
【００１５】
本発明において、シャッタ駆動源は、カードリーダにカードが取り込まれていないときに、シャッタ部材を定期的に駆動して挿入排出口の開閉動作を行うことが好ましい。このように構成すると、カードリーダにカードが取り込まれていないときに、挿入排出口を閉鎖するための閉鎖部が破壊されているか否かをシャッタ検出機構で定期的に確認することが可能になる。したがって、カードリーダにカードが挿入される際に、閉鎖部が破壊されているか否かを確実に検出することが可能になる。
【００１６】
本発明において、カードリーダには、カードが搬送されるカード搬送路が内部に形成されるとともに、カードリーダは、ゲート機構よりもカードの挿入方向側に配置される第２シャッタ部材を備え、第２シャッタ部材は、カードの搬送方向から見たときに、カード搬送路の全域を閉鎖可能であることが好ましい。このように構成すると、突出部の内部にシャッタ部材が配置されており、ゲート機構に形成される挿入排出口の全域をシャッタ部材で閉鎖することができなくても、第２シャッタ部材によってカード搬送路を閉鎖することで、カードリーダ内部の各種の構成を保護したり、カードリーダ内部への粉塵の侵入を防止することが可能になる。
【００１７】
本発明において、突出部は、不透明な材料で形成されていることが好ましい。このように構成すると、犯罪者はゲート機構の外部からカード検出機構やシャッタ機構を目視で確認することができない。したがって、犯罪者がカード検出機構やシャッタ機構を破壊するのを防止しやすくなる。
【００１８】
本発明において、ゲート機構の外形は、カードの排出方向に向かって膨らむ略半円柱形状に形成されていることが好ましい。このように構成すると、犯罪者は、フィッシングを行うための仕掛けをゲート機構に取り付けにくくなる。したがって、フィッシングを効果的に防止することが可能になる。
【００１９】
本発明において、ゲート機構は、凹部の側面を光らせるための発光機構を備えることが好ましい。このように構成すると、カードの排出時に、発光機構によって凹部の側面を光らせることで、ユーザは、ゲート機構のどの箇所にカードが排出されてくるのかを容易に把握することが可能になる。
【発明の効果】
【００２０】
以上のように、本発明のカードリーダでは、フィッシングを防止することが可能になるとともに、フィッシングが発生しない状況においては、カードを傷つけないようにすることが可能になる。
【図面の簡単な説明】
【００２１】
【図１】本発明の実施の形態にかかるカードリーダの斜視図である。
【図２】図１に示すカードリーダの概略構成を説明するための平面図である。
【図３】図１に示すゲート機構の構成を説明するための正面図である。
【図４】図３に示すカード検出機構の構成および動作を説明するための正面図である。
【図５】図３に示すシャッタ機構の構成および動作を説明するための正面図である。
【図６】図３に示す異物検出機構の構成を説明するための正面図である。
【図７】図３に示す凹部の側面を光らせるための発光機構の構成を説明するための正面図である。
【図８】図７に示す発光機構の構成を説明するための平面図である。
【図９】図７に示す発光機構の構成を説明するための図であり、（Ａ）は側面図、（Ｂ）は（Ａ）のＥ部の拡大図、（Ｃ）は（Ａ）のＦ部の拡大図である。
【発明を実施するための形態】
【００２２】
以下、図面を参照しながら、本発明の実施の形態を説明する。
【００２３】
（カードリーダの概略構成）
図１は、本発明の実施の形態にかかるカードリーダ１の斜視図である。図２は、図１に示すカードリーダ１の概略構成を説明するための平面図である。
【００２４】
本形態のカードリーダ１は、カード２に記録された磁気データの読取および／またはカード２への磁気データの記録を行うための装置であり、たとえば、ＡＴＭ（Ａｕｔｏｍａｔｅ  Ｔｅｌｌｅｒ  Ｍａｃｈｉｎｅ）等の上位装置に搭載されて使用される。このカードリーダ１の内部には、カード２が搬送されるカード搬送路が形成されている。また、カードリーダ１は、図１、図２に示すように、磁気データの読取および／または磁気データの記録を行う磁気ヘッド３と、カード２の取込および排出を行うための搬送ローラ４等を有するカード搬送機構と、カード２が挿入および排出される挿入排出口５が形成されたゲート機構６と、カード搬送路を閉鎖するための第２シャッタ部材としてのシャッタ部材７とを備えている。
【００２５】
本形態では、図１等に示すＸ方向にカード２が搬送される。すなわち、Ｘ方向は、カード２の搬送方向（通過方向）である。また、本形態では、Ｘ１方向にカード２が挿入され、Ｘ２方向にカード２が排出される。すなわち、Ｘ１方向は、カード２の挿入方向であり、Ｘ２方向は、カード２の排出方向である。また、Ｘ方向に略直交する図１のＺ方向は、カード２の厚さ方向であり、Ｘ方向とＺ方向とに略直交する図１のＹ方向は、カード２の幅方向（短手幅方向）である。なお、以下の説明では、Ｘ１方向側を「奥（後ろ）」側、Ｘ２方向側を「手前（前）」側、Ｙ１方向側を「右」側、Ｙ２方向側を「左」側、Ｚ１方向側を「上」側、Ｚ２方向側を「下」側とする。
【００２６】
カード２は、たとえば、厚さが０．７〜０．８ｍｍ程度の矩形状の塩化ビニール製のカードである。このカード２には、磁気データが記録される磁気ストライプが形成されている。すなわち、本形態のカード２は、磁気カードである。なお、カード２には、ＩＣチップが固定されても良いし、通信用のアンテナが内蔵されても良い。すなわち、カード２は、磁気ストライプ付きの接触式ＩＣカードであっても良いし、磁気ストライプ付きの非接触式ＩＣカードであっても良い。また、カード２は、厚さが０．１８〜０．３６ｍｍ程度のＰＥＴ（ポリエチレンテレフタレート）カードであっても良いし、所定の厚さの紙カード等であっても良い。
【００２７】
磁気ヘッド３は、カードリーダ１の本体部８の内部に配置されている。この磁気ヘッド３は、カード２に形成される磁気ストライプに接触可能な位置に配置されている。カード搬送機構は、搬送ローラ４の他に、搬送ローラ４に対向配置されるとともに搬送ローラ４に向かって付勢されるパッドローラ、搬送ローラ４を駆動するモータおよびモータの動力を伝達する歯車等を備えている。搬送ローラ４およびパッドローラは、本体部８の内部に配置されている。ゲート機構６は、本体部８の前端面に固定されており、カードリーダ１の前端に配置されている。ゲート機構６の詳細な構成については、後述する。
【００２８】
シャッタ部材７は、本体部８の前端側に配置されている。このシャッタ部材７には、ソレノイド等の駆動源が連結されている。本形態のシャッタ部材７は、前後方向から見たときに、カード搬送路の全域を閉鎖することが可能となるように構成されている。
【００２９】
（ゲート機構の構成）
図３は、図１に示すゲート機構６の構成を説明するための正面図である。図４は、図３に示すカード検出機構１４の構成および動作を説明するための正面図である。図５は、図３に示すシャッタ機構１５の構成および動作を説明するための正面図である。図６は、図３に示す異物検出機構１７の構成を説明するための正面図である。図７は、図３に示す凹部１１ａの側面を光らせるための発光機構１８の構成を説明するための正面図である。図８は、図７に示す発光機構１８の構成を説明するための平面図である。図９は、図７に示す発光機構１８の構成を説明するための図であり、（Ａ）は側面図、（Ｂ）は（Ａ）のＥ部の拡大図、（Ｃ）は（Ａ）のＦ部の拡大図である。
【００３０】
ゲート機構６は、図１に示すように、全体として略半円柱形状に形成されている。すなわち、ゲート機構６の外形は、手前方向に向かって膨らむ略半円柱形状に形成されている。より具体的には、ゲート機構６のハウジング１１の外形は、手前方向に向かって膨らむ略半円柱形状に形成されている。
【００３１】
ハウジング１１には、奥方向に向かって窪む凹部１１ａが形成されている。すなわち、ハウジング１１には、凹部１１ａの奥端部から手前方向に向かって突出する２個の突出部１１ｂ、１１ｃが左右方向に間隔をあけた状態で形成されており、凹部１１ａは、２個の突出部１１ｂ、１１ｃに挟まれるように、２個の突出部１１ｂ、１１ｃの間に形成されている。また、ハウジング１１には、前後方向に貫通するように、挿入排出口５が形成されている。
【００３２】
凹部１１ａは、図２に示すように、上下方向から見たときの形状が略Ｕ形状となるように形成されている。具体的には、凹部１１ａは、上下方向から見たときに、その前端側が開口する略Ｕ形状となるように形成されている。また、凹部１１ａの幅（左右方向の幅）は、カードリーダ１のユーザの指が入る広さとなっている。また、凹部１１ａは、図２に示すように、左右方向において、磁気ヘッド３の配置位置と略同じ位置に形成されている。すなわち、凹部１１ａは、左右方向において、カードリーダ１に挿入されるカード２の磁気ストライプの位置と略同じ位置に形成されており、上下方向から見たときに、カードリーダ１に挿入されるカード２の磁気ストライプは凹部１１ａを通過する。突出部１１ｂは、凹部１１ａの左側に形成されている。突出部１１ｃは、凹部１１ａの右側に形成されている。突出部１１ｂの左右方向の幅は、突出部１１ｃの左右方向の幅よりも広くなっている。
【００３３】
ハウジング１１は、不透明な材料で形成されている。たとえば、ハウジング１１は、不透明な樹脂材料で形成されている。また、ハウジング１１の凹部１１ａが形成された部分は開口している。この開口部には、半透明な材料で形成された半透明部材１２が固定されており、この開口部は半透明部材１２で塞がれている。すなわち、半透明部材１２によって凹部１１ａの側面が構成されている。半透明部材１２は、たとえば、半透明な樹脂材料で形成されている。
【００３４】
図２、図３に示すように、ゲート機構６は、カード搬送機構によってカード２の前端側が所定の位置まで排出されたことを検出するためのカード検出機構１４と、カード２の排出時にカード２の前端側が所定の位置まで排出されていない場合にカード２の抜取りを阻止するカード抜取り阻止機構としてのシャッタ機構１５と、シャッタ機構１５の状態を検出するためのシャッタ検出機構１６と、凹部１１ａに異物が取り付けられたことを検出するための異物検出機構１７とを備えている。また、ゲート機構６は、図７に示すように、凹部１１ａの側面を光らせるための発光機構１８を備えている。
【００３５】
カード検出機構１４は、カード２に接触可能なレバー部材２０と、レバー部材２０がカード２に接触しているか否かを検出するセンサ２１とを備えている。このカード検出機構１４は、突出部１１ｂの内部に配置されている。センサ２１は、発光素子と受光素子とを有する光学式のセンサである。レバー部材２０は、カード２の左端に接触するカード接触部２０ａと、センサ２１の発光素子と受光素子との間を遮る遮光部２０ｂとを備え、前後方向から見たときの形状が略Ｌ形状となるように形成されている。このレバー部材２０は、所定の回動軸を中心に回動可能となっており、カード接触部２０ａは、挿入排出口５に対して進退可能となっている。
【００３６】
図４（Ａ）に示すように、カード接触部２０ａにカード２が接触していないときには、カード接触部２０ａは挿入排出口５の中にあり、遮光部２０ｂはセンサ２１の発光素子と受光素子との間を遮っている。一方、カード２の左端がカード接触部２０ａに接触すると、図４（Ｂ）に示すように、レバー部材２０が回動して、カード接触部２０ａは挿入排出口５から退避し、遮光部２０ｂはセンサ２１の発光素子と受光素子との間から外れる。センサ２１の発光素子と受光素子との間から遮光部２０ｂが外れると、カード検出機構１４によって、カード２が検出される。
【００３７】
本形態のカード検出機構１４は、カード２の排出時に、カードリーダ１のユーザがカードリーダ１からカード２を抜き取ることが可能な抜取り可能位置までカード搬送機構によってカード２が排出されたことを検出する。具体的には、カード検出機構１４は、図２に示すように、凹部１１ａにおいて、ユーザがカードリーダ１からカード２を抜き取ることが可能な位置までカード搬送機構によってカード２が排出されたことを検出する。より具体的には、カード検出機構１４は、ユーザが親指や人差指等の指を凹部１１ａに差し込み、差し込んだ指の間にカード２の前端側を挟んでカードリーダ１からカード２を抜き取ることが可能な位置までカード搬送機構によってカード２の前端側が排出されたことを検出する。たとえば、カード検出機構１４は、図２に示すように、カード２の前端が凹部１１ａの奥端部から距離Ｄ１、排出されたことを検出する。
【００３８】
なお、本形態では、カード搬送機構によるカード２の排出が完了したときには、カード２の奥端側は、搬送ローラ４と搬送ローラ４に対向配置されるパッドローラとの間に挟まれている（図２参照）。また、本形態では、カード搬送機構によってカード２が正常に排出されるときには、設計上、カード検出機構１４でカード２の前端が検出された後にさらに距離Ｄ２、カード搬送機構によってカード２が排出されて停止する。なお、本形態のカード検出機構１４は、カードリーダ１にカード２が挿入されたことを検出する機能も果たしている。
【００３９】
シャッタ機構１５は、カード検出機構１４よりも手前側に配置され挿入排出口５を開閉するシャッタ部材２２と、シャッタ部材２２を駆動するシャッタ駆動源としてのソレノイド２３とを備えている。このシャッタ機構１５は、突出部１１ｂの内部に配置されている。シャッタ部材２２は、挿入排出口５を閉鎖するための閉鎖部２２ａを備えている。閉鎖部２２ａは、上側に向かって立ち上がるように形成されており、挿入排出口５の左端側の一部を閉鎖する。また、シャッタ部材２２は、所定の回動軸を中心に回動可能となっており、閉鎖部２２ａは、挿入排出口５に対して進退可能となっている。ソレノイド２３は、挿入排出口５よりも下側に配置されており、シャッタ部材２２に連結されている。
【００４０】
図５（Ａ）に示すように、シャッタ部材２２が挿入排出口５を開放しているときには、ソレノイド２３のプランジャは突出しており、閉鎖部２２ａは挿入排出口５の下方に退避している。この状態で、ソレノイド２３のプランジャが引っ込むと、図５（Ｂ）に示すように、シャッタ部材２２は図５の反時計方向に回動し、閉鎖部２２ａが上方向に移動して、挿入排出口５を閉鎖する。
【００４１】
本形態では、カード２の取込時に、ユーザによって挿入されたカード２が本体部８内に取り込まれると、シャッタ部材２２が挿入排出口５を閉鎖する。また、カード２の排出時に、カード２が抜取り可能位置まで排出されると、シャッタ部材２２が挿入排出口５を開放して、カードリーダ１からのカード２の抜取りが可能になる。一方、カード２の排出時に、カード２が抜取り可能位置まで排出されないと、引き続き、シャッタ部材２２が挿入排出口５を閉鎖して、カードリーダ１からのカード２の抜取りが阻止される。
【００４２】
シャッタ検出機構１６は、発光素子と受光素子とを有する光学式のセンサである。このシャッタ検出機構１６は、突出部１１ｂの内部に配置されている。また、シャッタ検出機構１６は、挿入排出口５よりも上側に配置されている。本形態では、シャッタ部材２２が挿入排出口５を閉鎖しているときに、図５（Ｂ）に示すように、閉鎖部２２ａの上端側がシャッタ検出機構１６の発光素子と受光素子との間を遮る。すなわち、本形態では、シャッタ検出機構１６は、閉鎖部２２ａが挿入排出口５を閉鎖していることを検出する。また、シャッタ検出機構１６は、挿入排出口５を閉鎖する閉鎖部２２ａの上端側の一部を直接、検出する。
【００４３】
異物検出機構１７は、発光素子２４と、発光素子２４からの光を受光する受光素子２５とを備える光学式の検出機構である。また、異物検出機構１７は、発光素子２４が射出する光の方向を変えるミラー２６を備えている。発光素子２４は、たとえば、ＬＥＤ（Ｌｉｇｈｔ  Ｅｍｉｔｔｉｎｇ  Ｄｉｏｄｅ）であり、受光素子２５は、たとえば、フォトトランジスタである。
【００４４】
発光素子２４は、突出部１１ｂの内部に配置されている。また、発光素子２４は、シャッタ部材２２よりも手前側に配置されている。さらに、発光素子２４は、右方向に向かって光を射出するように配置されている。具体的には、発光素子２４は、凹部１１ａを通過する光を射出するように配置されている。
【００４５】
受光素子２５およびミラー２６は、突出部１１ｃの内部に配置されている。受光素子２５は、その受光面が手前側を向くように配置されている。ミラー２６は、受光素子２５の手前側に配置されており、発光素子２４から射出された右方向に向かう光の方向を奥方向へ変える。
【００４６】
本形態では、凹部１１ａに異物が取り付けられると、発光素子２４から受光素子２５へ向かう光がこの異物によって遮られるため、異物検出機構１７によって、異物が取り付けられたことが検出される。たとえば、犯罪者がカード２の磁気データを不正に取得するいわゆるスキミングを行うための磁気ヘッドを凹部１１ａに取り付けた場合には、異物検出機構１７によって、スキミング用の磁気ヘッドが取り付けられたことが検出される。
【００４７】
発光機構１８は、複数の光源２７と、光源２７から射出された光を拡散させるプリズム２８とを備えている。光源２７は、たとえば、ＬＥＤであり、基板２９に実装されている。複数の光源２７は、図８に示すように、凹部１１ａの奥端側の側面に沿って略円弧状に配置されている。また、複数の光源２７および基板２９は、挿入排出口５の上側および下側の両側に配置されている。プリズム２８は、図８に示すように、上下方向から見たときの形状が略円弧状になるように形成されており、複数の光源２７を覆うように配置されている。
【００４８】
本形態では、光源２７から射出された光は、プリズム２８によって拡散されて、半透明部材１２を透過する。そのため、光源２７から光が射出されると凹部１１ａの側面が光る。
【００４９】
（カードリーダの概略動作）
以上のように構成されたカードリーダ１におけるフィッシングを防止するための概略動作、および、スキミングを防止するための概略動作を以下に説明する。
【００５０】
まず、フィッシングを防止するためのカードリーダ１の概略動作について説明する。カードリーダ１の内部に取り込まれたカード２がカード搬送機構によって排出されたときに、カード検出機構１４がカード２の前端側を検出していない場合には、カード２の取込後に挿入排出口５を閉鎖したシャッタ部材２２は、引き続き、挿入排出口５を閉鎖する。すなわち、カード２の排出時に、カード検出機構１４がカード２の前端側を検出していない場合には、フィッシングを行うための仕掛けがカードリーダ１に取り付けられたと判断して、犯罪者がカード２を抜き取ることができないように、シャッタ部材２２が引き続き、挿入排出口５を閉鎖する。
【００５１】
また、カード２の排出時に、カード検出機構１４がカード２の前端側を検出していない場合には、カードリーダ１は、異常が発生していることを上位装置に通知する。この通知を受けた上位装置は、たとえば、上位装置のディスプレイに異常が発生している旨を表示する、ブザーを鳴らす、および／または、光源２７を点滅させる等の所定の動作を行って、ユーザに異常が発生していることを知らせる。
【００５２】
なお、カードリーダ１にカード２が取り込まれておらず、カードリーダ１でカード２の取引が行われていないときには、ソレノイド２３は、定期的にシャッタ部材２２を駆動して、挿入排出口５の開閉動作を行う。この開閉動作の際に、シャッタ検出機構１６で閉鎖部２２ａが検出されない場合には、犯罪者によって閉鎖部２２ａが破壊され、閉鎖部２２ａで挿入排出口５を閉鎖できなくなっている状況が発生していると判断して、カードリーダ１は、異常が発生していることを上位装置に通知する。この通知を受けた上位装置は、以後のカード２の取込を中止する。たとえば、シャッタ部材７でカード搬送路を閉鎖したり、カード搬送機構によるカード２の搬送ができないようにする。
【００５３】
次に、スキミングを防止するためのカードリーダ１の概略動作について説明する。カード２の取引が行われていないときには、発光素子２４は光を射出しており、凹部１１ａにスキミング用の磁気ヘッド等が取り付けられたか否かが監視されている。この監視中に、発光素子２４から受光素子２５へ向かう光が遮られると、凹部１１ａにスキミング用の磁気ヘッド等が取り付けられたと判断して、ユーザがカード２を挿入することができないようにシャッタ部材２２で挿入排出口５を閉鎖する。あるいは、シャッタ部材７でカード搬送路を閉鎖する。また、この場合には、カードリーダ１は、異常が発生していることを上位装置に通知する。
【００５４】
なお、発光素子２４がＬＥＤであれば、カード２の取引が行われていないときに、発光素子２４を任意の間隔でパルス点灯させることが好ましい。この場合には、発光素子２４に定格値以上の電流を流すことが可能になるため、発光素子２４から射出される光量を増やすことができる。したがって、受光素子２５におけるＳＮ比（ｓｉｇｎａｌ−ｔｏ−ｎｏｉｓｅ  ｒａｔｉｏ）を大きくすることが可能になる。
【００５５】
また、カード２の取引が行われていないときに、ＬＥＤである発光素子２４をパルス点灯させる場合には、発光素子２４から光が射出されているときの受光素子２５の出力値と、発光素子２４から光が射出されていないときの受光素子２５の出力値との差に基づいて、異物検出機構１７で異物が検出されたか否かを判断することが好ましい。たとえば、発光素子２４から光が射出されているときの受光素子２５の出力値と、発光素子２４から光が射出されていないときの受光素子２５の出力値との差と、所定の閾値とを比較して、出力値の差が閾値以下になった場合に、異物検出機構１７で異物が検出されたと判断することが好ましい。この場合には、受光素子２５に入射する外部光の影響を抑制することができるため、凹部１１ａにスキミング用の磁気ヘッド等が取り付けられたことをより適切に検出することが可能になる。
【００５６】
（本形態の主な効果）
以上説明したように、本形態では、ゲート機構６は、カードリーダ１のユーザがカードリーダ１からカード２を抜き取ることが可能な抜取り可能位置までカード搬送機構によってカード２が排出されたことを検出するためのカード検出機構１４と、カード２の排出時に抜取り可能位置までカード２が排出されていない場合にカード２の抜取りを阻止するシャッタ機構１５とを備えている。そのため、本形態では、フィッシングを行うための仕掛けがカードリーダ１に取り付けられて、抜取り可能位置までカード２が排出されず、ユーザがカード２を抜き取ることができない場合には、シャッタ部材２２によってカード２の抜取りを阻止して、フィッシングを防止することが可能になる。
【００５７】
また、本形態では、カード検出機構１４よりも手前側に配置されるシャッタ部材２２によって、カード２の抜取りが阻止されている。そのため、カード２を抜き取ろうとする場合には、カード２の前端がシャッタ部材２２に当接する。したがって、本形態では、シャッタ機構１５によって、カード２の抜取りが阻止されていても、カード２の表面には傷がつかない。
【００５８】
また、本形態では、仮にフィッシングを行うための仕掛けがカードリーダ１に取り付けられても、抜取り可能位置までカード２が排出されており、ユーザがカード２を抜き取ることができる場合には、シャッタ機構１５はカードの抜取りを阻止しない。すなわち、フィッシングを行うための仕掛けがカードリーダ１に取り付けられても、フィッシングが発生しない状況においては、シャッタ機構１５はカード２の抜取りを阻止しない。したがって、本形態では、フィッシングが発生しない状況においては、シャッタ機構１５がカード２を傷つける状況は発生しえない。
【００５９】
本形態では、カード検出機構１４は、手前方向に向かって突出する突出部１１ｂの内部に配置されている。そのため、カード検出機構１４によって、カード２の前端の位置を適切に検出することができる。すなわち、カード検出機構１４によって、カード２が抜取り可能位置まで排出されているか否かを適切に検出することができる。したがって、本形態では、フィッシングが発生しうる状況にあるか否かをカード検出機構１４によって適切に検出することが可能になる。
【００６０】
本形態では、カード検出機構１４およびシャッタ機構１５は、ハウジング１１の突出部１１ｂの内部に配置されている。そのため、本形態では、犯罪者がカード検出機構１４やシャッタ機構１５を破壊するのを防止しやすくなる。特に本形態では、ハウジング１１は、不透明な材料で形成されているため、犯罪者はゲート機構６の外部からカード検出機構１４やシャッタ機構１５を目視で確認することができない。したがって、本形態では、犯罪者がカード検出機構１４やシャッタ機構１５を破壊するのをより防止しやすくなる。
【００６１】
本形態では、シャッタ検出機構１６は、挿入排出口５を閉鎖する閉鎖部２２ａの一部を直接、検出している。特に本形態では、シャッタ検出機構１６は、上方向に移動して挿入排出口５を閉鎖する閉鎖部２２ａの上端側の一部を直接、検出している。そのため、犯罪者によって挿入排出口５を閉鎖する閉鎖部２２ａが破壊されたか否かをシャッタ検出機構１６で確実に検出することが可能になる。
【００６２】
本形態では、カードリーダ１にカード２が取り込まれていないときに、ソレノイド２３は、定期的にシャッタ部材２２を駆動して、挿入排出口５の開閉動作を行っている。そのため、カードリーダ１にカード２が取り込まれていないときに、挿入排出口５を閉鎖する閉鎖部２２ａが破壊されているか否かをシャッタ検出機構１６で定期的に確認することができる。したがって、カードリーダ１にカード２が挿入される際に、閉鎖部２２ａが破壊されているか否かを確実に検出することが可能になる。その結果、本形態では、上述のように、閉鎖部２２ａが破壊されている場合には、以後のカード２の取込を中止することで、フィッシングを防止することができる。
【００６３】
本形態では、前後方向から見たときに、カード搬送路の全域を閉鎖することが可能なシャッタ部材７がゲート機構６よりも奥側に配置されている。そのため、シャッタ部材２２が突出部１１ｂに配置されており、閉鎖部２２ａが挿入排出口５の左端側の一部を閉鎖する場合であっても、シャッタ部材７によってカード搬送路を閉鎖することで、磁気ヘッド３等のカードリーダ１の内部の各種の構成を保護したり、カードリーダ１の内部への粉塵の侵入を防止することが可能になる。また、シャッタ部材２２が破壊されても、シャッタ部材７によって、カードリーダ１へのカード２の挿入を防止することが可能になる。
【００６４】
本形態では、ハウジング１１の外形は、手前方向に向かって膨らむ略半円柱形状に形成されている。そのため、犯罪者は、フィッシングを行うための仕掛けをゲート機構６に取り付けにくくなる。したがって、本形態では、フィッシングを効果的に防止することが可能になる。
【００６５】
本形態では、光源２７から光が射出されると凹部１１ａの側面が光る。そのため、たとえば、カード２の排出時に凹部１１ａの側面を点滅させれば、排出されたカード２の前端部分が凹部１１ａで停止しても、ユーザは、カード２がどこに排出されたのかを容易に把握することができる。
【００６６】
（他の実施の形態）
上述した形態および変形例は、本発明の好適な形態の一例ではあるが、これに限定されるものではなく本発明の要旨を変更しない範囲において種々変形実施が可能である。
【００６７】
上述した形態では、排出時のカード２が抜取り可能位置まで排出されていない場合にカード２の抜取りを阻止するカード抜取り阻止機構は、カード検出機構１４よりも手前側に配置されるシャッタ部材２２を備えるシャッタ機構１５である。この他にもたとえば、カード抜取り阻止機構は、本体部８の内部でカード２の奥端側を保持してカード２の抜取りを阻止するように構成されても良い。たとえば、カード抜取り阻止機構は、上述した特許文献１に記載の引抜き防止ロック機構と同様に構成されても良い。また、たとえば、カード抜取り阻止機構は、カード２に突き刺さるピンおよびこのピンを駆動するソレノイド等の駆動源等によって構成されても良い。フィッシングを行うための仕掛けがカードリーダ１に取り付けられても、抜取り可能位置までカード２が排出されており、ユーザがカード２を抜き取ることができる場合には、カード抜取り阻止機構はカード２の抜取りを阻止しないため、これらの場合には、フィッシングを行うための仕掛けがカードリーダ１に取り付けられても、フィッシングが発生しない状況においては、カード２を傷つけないようにすることが可能になる。
【００６８】
上述した形態では、凹部１１ａは、左右方向において、磁気ヘッド３の配置位置と略同じ位置に形成されている。この他にもたとえば、左右方向における凹部１１ａの位置と磁気ヘッド３の配置位置とがずれていても良い。また、上述した形態では、凹部１１ａは、上下方向から見たときの形状が略Ｕ形状となるように形成されているが、凹部１１ａは、上下方向から見たときの形状が略矩形状等の多角形状となるように形成されても良い。
【００６９】
上述した形態では、ハウジング１１に、凹部１１ａの奥端部から手前方向に向かって突出する２個の突出部１１ｂ、１１ｃが形成されている。この他にもたとえば、ハウジング１１に、１個の突出部が形成されても良い。すなわち、ハウジング１１は、上下方向から見たときの形状が略Ｌ形状または略Ｔ形状となるように形成されても良い。たとえば、ハウジング１１に、突出部１１ｂが形成されるとともに突出部１１ｃが形成されなくても良い。また、ハウジング１１に３個以上の突出部が形成されても良い。
【００７０】
上述した形態では、ハウジング１１の外形は、手前方向に向かって膨らむ略半円柱形状に形成されている。この他にもたとえば、ハウジング１１の外形は、略直方体状に形成されても良い。
【００７１】
上述した形態では、シャッタ検出機構１６は、閉鎖部２２ａの一部を検出することで閉鎖部２２ａが挿入排出口５を閉鎖していることを検出している。この他にもたとえば、シャッタ検出機構１６は、閉鎖部２２ａ以外のシャッタ部材２２の所定の箇所を検出することで閉鎖部２２ａが挿入排出口５を閉鎖していることを間接的に検出しても良い。また、シャッタ検出機構１６は、ソレノイド２３のプランジャあるいはプランジャに連結される所定の部材を検出することで閉鎖部２２ａが挿入排出口５を閉鎖していることを間接的に検出しても良い。
【００７２】
上述した形態では、センサ２１は、発光素子と受光素子とを有する光学式のセンサである。この他にもたとえば、センサ２１は、接点とこの接点に接触する接点レバーとを備える機械式のセンサであっても良い。また、カード検出機構１４は、カード２の幅方向の端部に直接、接触する接点レバーを有する機械式の検出機構であっても良いし、カード２の幅方向の端部が直接、発光素子と受光素子との間を遮るように配置される光学式の検出機構であっても良い。
【００７３】
上述した形態では、カード２は磁気ストライプを有する磁気カードであるが、カード２は磁気カードでなくても良い。また、上述した形態は、ゲート機構６は、異物検出機構１７および発光機構１８を備えているが、ゲート機構６は、異物検出機構１７および／または発光機構１８を備えていなくても良い。
【符号の説明】
【００７４】
１  カードリーダ
２  カード
４  搬送ローラ（カード搬送機構の一部）
５  挿入排出口
６  ゲート機構
７  シャッタ部材（第２シャッタ部材）
１１ａ  凹部
１１ｂ、１１ｃ  突出部
１４  カード検出機構
１５  シャッタ機構（カード抜取り阻止機構）
１６  シャッタ検出機構
１８  発光機構
２２  シャッタ部材
２２ａ  閉鎖部
２３  ソレノイド（シャッタ駆動源）
Ｘ  カードの搬送方向
Ｘ１  カードの挿入方向
Ｘ２  カードの排出方向
【図１】
2011164808.tif 000003
【図２】
2011164808.tif 000004
【図３】
2011164808.tif 000005
【図４】
2011164808.tif 000006
【図５】
2011164808.tif 000007
【図６】
2011164808.tif 000008
【図７】
2011164808.tif 000009
【図８】
2011164808.tif 000010
【図９】
2011164808.tif 000011